(57)【要約】  【課題】      音振動を効果的に吸収するとともに、横揺れを防止する。  【解決手段】  防音装置２０においては、「音源側脚部」としての音源側リング２２と「基礎側脚部」としての基礎側リング２４とは連続しておらず、これらの間には吸音材３０が介在されている。したがって、音源１２から音源側リング２２に伝わった音振動は吸音材３０によって効率よく吸収され得る。また、防音装置２０に横揺れが作用すると、音源側リング２２の底板２２ｂが基礎側リング２４の「規制部」としての側板２４ｃに吸音材３０を介して係止され、基礎側リング２４の天板２４ａが音源側リング２２の「規制部」としての側板２２ｃに吸音材３０を介して係止される。【選択図】      図１
2005308878.tif 000002
【特許請求の範囲】
【請求項１】
音源と基礎との間に配設され、前記音源の音振動が前記基礎へ伝わるのを防止する防音装置であって、
前記音源に直接的または間接的に固定される音源側脚部、
前記音源側脚部に対向して配設され、前記基礎に直接的または間接的に固定される基礎側脚部、
前記音源側脚部または前記基礎側脚部の少なくとも一方に一体的に設けられ、これらの対向方向に対して直交する方向への相対的な移動を規制する規制部、および
前記音源側脚部と前記基礎側脚部との間と、前記音源側脚部または前記基礎側脚部の少なくとも一方と前記規制部との間とに介在された吸音材を備える、防音装置。
【請求項２】
音源に取り付けられる上部台座と、基礎に取り付けられる下部台座と、前記上部台座と前記下部台座との間に配設された防音装置とを備える防音架台であって、
前記防音装置は、前記上部台座に固定された音源側脚部と、前記音源側脚部に対向して前記下部台座に固定された基礎側脚部と、前記音源側脚部または前記基礎側脚部の少なくとも一方に一体的に設けられ、これらの対向方向に対して直交する方向への相対的な移動を規制する規制部と、前記音源側脚部と前記基礎側脚部との間および前記音源側脚部または前記基礎側脚部の少なくとも一方と前記規制部との間に介在された吸音材を備える、防音架台。
【請求項３】
前記上部台座と前記下部台座との間に確保された空間を埋める吸音材を備える、請求項２に記載の防音架台。
【発明の詳細な説明】
【技術分野】
【０００１】
本発明は、音源と基礎との間に配設され、音源で生じた音振動が基礎へ伝わるのを防止するための防音装置および防音架台に関する。
【背景技術】
【０００２】
従来の防音装置の一例が、特開平９−７８６５０号に開示されている（特許文献１）。この防音装置は、洗濯機の防音対策として、床面と床パンとの間に配設されるものであり、縦方向の振動をコイルスプリングの伸縮によって吸収し、横方向の振動をゴム部材の変形によって吸収するようにしたものである。
【特許文献１】特開２００２−３１０４６０号
【発明の開示】
【発明が解決しようとする課題】
【０００３】
従来の防音装置（特許文献１）では、コイルスプリングを用いていたので、音振動がコイルスプリングを伝播して基礎へ伝わるおそれがあった。また、横方向の振動を吸収するゴム部材では、剛性が不十分なため、床面に対して床パンが横方向へ大きく揺れるのを防止することができず、この横揺れによって床面または床パンとコイルスプリングとの接続部に損傷を生じるおそれがあった。
【０００４】
それゆえに、この発明の主たる目的は、音振動をより効果的に吸収でき、しかも、横揺れを防止できる、防音装置および防音架台を提供することである。
【課題を解決するための手段】
【０００５】
請求項１に記載した発明は、「音源１２と基礎１４との間に配設され、音源１２の音振動が基礎１４へ伝わるのを防止する防音装置２０，４２であって、音源１２に直接的または間接的に固定される音源側脚部２２，４８、音源側脚部２２，４８に対向して配設され、基礎１４に直接的または間接的に固定される基礎側脚部２４，４４、音源側脚部２２，４８または基礎側脚部２４，４４の少なくとも一方に一体的に設けられ、これらの対向方向に対して直交する方向への相対的な移動を規制する規制部２２ｃ，２４ｃ，４４ｄ、および音源側脚部２２，４８と基礎側脚部２４，４４との間と、音源側脚部２２，４８または基礎側脚部２４，４４の少なくとも一方と規制部２２ｃ，２４ｃ，４４ｄとの間とに介在された吸音材３０，５２を備える、防音装置２０，４２」である。
【０００６】
この発明では、音源側脚部２２，４８と基礎側脚部２４，４４との間に吸音材３０，５２が介在されているので、音源側脚部２２，４８に伝わった音振動が吸音材３０，５２において吸収され得る。また、音源側脚部２２，４８または基礎側脚部２４，４４の少なくとも一方に一体的に設けられた規制部２２ｃ，２４ｃ，４４ｄによって、これらの対向方向に対して直交する方向への相対的な移動が規制されるので横揺れは生じない。
【０００７】
なお、「音源側脚部」、「基礎側脚部」および「規制部」の名称は、全ての実施例を包含させる観点から付けた包括的名称であり、後述する実施例の説明では、個々の実施例の特徴を明確にする観点から別の名称を付けている。すなわち、実施例における音源側リング２２および板状部材４８が「音源側脚部」であり、基礎側リング２４および箱状部材４４が「基礎側脚部」であり、側板２２ｃ、２４ｃおよび４４ｄが「規制部」である。
【０００８】
請求項２に記載した発明は、「音源１２に取り付けられる上部台座１６と、基礎１４に取り付けられる下部台座１８と、上部台座１６と下部台座１８との間に配設された防音装置２０，４２とを備える防音架台１０であって、防音装置２０，４２は、上部台座１６に固定された音源側脚部２２，４８と、音源側脚部２２，４８に対向して下部台座１８に固定された基礎側脚部２４，４４と、音源側脚部２２，４８または基礎側脚部２４，４４の少なくとも一方に一体的に設けられ、これらの対向方向に対して直交する方向への相対的な移動を規制する規制部２２ｃ，２４ｃ，４４ｄと、音源側脚部２２，４８と基礎側脚部２４，４４との間および音源側脚部２２，４８または基礎側脚部２４，４４の少なくとも一方と規制部２２ｃ，２４ｃ，４４ｄとの間に介在された吸音材３０，５２を備える、防音架台１０」である。
【０００９】
この発明は、請求項１に記載した防音装置２０，４２を利用した防音架台１０である。
【００１０】
請求項３に記載した発明は、請求項２に記載した「防音架台１０」において、「上部台座１６と下部台座１８との間に確保された空間を埋める吸音材３０，５２を備える」ことを特徴とするものである。
【００１１】
この発明では、上部台座１６と下部台座１８との間に確保された空間を吸音材３０，５２で埋めるようにしているので、上部台座１６に伝わった音振動を吸音材３０，５２で吸収することができる。
【発明の効果】
【００１２】
本発明に係る防音装置および防音架台によれば、音振動を効果的に吸収できるとともに、横揺れを防止することができる。
【発明を実施するための最良の形態】
【００１３】
図１および図２を参照して、本発明が適用された防音架台１０は、機械装置などの音源１２の音振動が基礎１４へ伝わるのを防止するためのものであり、音源１２が載置される上部台座１６と、基礎１４に取り付けられる下部台座１８と、上部台座１６と下部台座１８との間に配設される複数の防音装置２０とによって構成されている。
【００１４】
上部台座１６および下部台座１８は、鉄等のような高剛性材料によって形成された枠材または板材であり、図１および図２に示すように、これらが複数の防音装置２０を介して互いに平行に配設されている。
【００１５】
防音装置２０は、図３および図４に示すように、四角形の音源側リング２２と、四角形の基礎側リング２４とを有しており、音源側リング２２と基礎側リング２４とが鎖状に連結されている。そして、音源側リング２２の天板２２ａには、音源側リング２２を上部台座１６に固定するための固定ボルト２６が外方へ延びて取り付けられており、基礎側リング２４の底板２４ｂには、基礎側リング２４を下部台座１８に固定するための固定ボルト２８が外方へ延びて取り付けられている。また、音源側リング２２および基礎側リング２４の内側空間には、吸音材３０が配設されており、この吸音材３０によって音源側リング２２と基礎側リング２４との非接触状態が保持されている。
【００１６】
音源側リング２２および基礎側リング２４は、音源１２を安定して支持するとともに、これらの一方の他方に対する相対的な移動を規制するものであり、金属（鉄またはアルミニウム等）や強化プラスチック等のような高剛性材料によって形成されている。ただし、音源側リング２２および基礎側リング２４の形状は、四角形に限定されるものではなく、円形、楕円形、四角形以外の多角形等であってもよい。
【００１７】
吸音材３０は、音源１２から伝えられた音振動を効率よく吸収するものであり、シリコンゴム、ポリウレタン、動物性繊維縮絨布、無機質繊維不織布、合成樹脂不織布または合成樹脂発泡体等のような吸音性を有する材料によって形成されている。ただし、ここで示した音源側リング２２、基礎側リング２４および吸音材３０の材質は、単なる例示であり、これらに限定されるものではない。
【００１８】
防音装置２０の固定ボルト２６を上部台座１６にナット３２によって固定し、固定ボルト２８を下部台座１８にナット３４によって固定すると（図１）、音源側リング２２の天板２２ａおよび底板２２ｂと、基礎側リング２４の天板２４ａおよび底板２４ｂとが互いに対向されることになる。したがって、音源側リング２２が本発明の「音源側脚部」となり、基礎側リング２４が本発明の「基礎側脚部」となる。
【００１９】
また、音源側リング２２および基礎側リング２４が対向方向に対して直交する方向へ相対的に移動しようとした場合には、音源側リング２２の底板２２ｂが基礎側リング２４の側板２４ｃに吸音材３０を介して係止され、基礎側リング２４の天板２４ａが音源側リング２２の側板２２ｃに吸音材３０を介して係止され、これにより相対的な移動が規制される。したがって、側板２２ｃおよび２４ｃが本発明の「規制部」となる。
【００２０】
つまり、この実施例では、音源側リング２２が「音源側脚部」および「規制部」の両機能を併有しており、「音源側脚部」としての音源側リング２２が、固定ボルト２６および上部台座１６を介して音源１２に間接的に固定される。また、基礎側リング２４が「基礎側脚部」および「規制部」の両機能を併有しており、「基礎側脚部」としての基礎側リング２４が、固定ボルト２８および下部台座１８を介して基礎１４に間接的に固定される。
【００２１】
防音装置２０を鉄等の金属で形成する際には、金属板を曲げ加工することによって音源側リング２２および基礎側リング２４を形成し、この工程において両者を鎖状に連結する。そして、図４に示すように、音源側リング２２および基礎側リング２４に固定ボルト２６および２８を取り付けた後、音源側リング２２および基礎側リング２４の内側空間に吸音材３０を配設する。吸音材３０が合成樹脂の場合には、図４に示した一体物を金型（図示省略）内に配置し、音源側リング２２および基礎側リング２４の内側空間に合成樹脂を射出するようにしてもよい。
【００２２】
防音架台１０を組み立てる際には、図１および図２に示すように、防音装置２０の固定ボルト２６を上部台座１６に形成された孔１６ａに挿通し、これにナット３２を螺合する。また、防音装置２０の固定ボルト２８を下部台座１８に形成された孔１８ａに挿通し、これにナット３４を螺合する。そして、下部台座１８をボルト等によって基礎１４に取り付けるとともに、上部台座１６をボルト等によって音源１２に取り付ける。
【００２３】
防音架台１０に音源（機械装置等）１２を取り付けた後、音源１２を駆動すると、音源１２で発生した音振動が、防音架台１０の上部台座１６から防音装置２０の音源側リング２２へ伝えられる。しかし、音源側リング２２と基礎側リング２４とは連続しておらず、これらの間には吸音材３０が介在されているので、音振動は吸音材３０によって効率よく吸収されることになる。
【００２４】
下部台座１８に対して上部台座１６が横方向に揺れようとした場合には、音源側リング２２の底板２２ｂが基礎側リング２４の側板２４ｃに吸音材３０を介して係止され、基礎側リング２４の天板２４ａが音源側リング２２の側板２２ｃに吸音材３０を介して係止されるので、大きく横揺れすることはない。また、このとき、「音源側脚部」としての音源側リング２２（天板２２ａおよび底板２２ｂ）と、「基礎側脚部」としての基礎側リング２４（天板２４ａおよび２４ｂ）との間には、吸音材３０が介在されているので、音源側リング２２から基礎側リング２４へ音振動が伝わることはない。
【００２５】
なお、上述の実施例では、上部台座１６と下部台座１８との間に空間を確保するようにしているが、図５に示すように、この空間を吸音材３０によって埋めるようにしてもよい。この場合には、上部台座１６に伝わった音振動を吸音材３０によって直接吸収することができるので、防音効果をより高めることができる。
【００２６】
また、防音架台１０に組み込まれた防音装置２０は、他の用途への適用も可能である。たとえば、図６に示すように、防音装置２０を、ダクト３６を吊り下げる「吊下げ具」として用いる場合には、防音装置２０の一方の固定ボルト２６が「基礎」としての天井材３８に直接的または間接的に固定され、他方の固定ボルト２８が「音源」としてのダクト３６に直接的または間接的に固定される。なお、図６では、一方の固定ボルト２６が天井材３８に直接的に固定され、他方の固定ボルト２８がダクト３６にバンド４０を介して間接的に固定された例を示している。
【００２７】
図７は、本発明が適用された他の防音装置４２を示す平面図（Ａ）および断面図（Ｂ）である。この防音装置４２は、上部に窓４４ａを有する箱状部材４４と、箱状部材４４に固着された固定ボルト４６と、箱状部材４４の内部に配置された板状部材４８と、板状部材４８に固着されて窓４４ａから突き出された固定ボルト５０と、箱状部材４４の内部空間を埋めるようにして配設された吸音材５２とによって構成されている。
【００２８】
この防音装置４２では、板状部材４８と箱状部材４４の天板４４ｂおよび底板４４ｃとが互いに対向されるので、板状部材４８が本発明の「音源側脚部」となり、箱状部材４４が本発明の「基礎側脚部」となる。また、板状部材４８と箱状部材４４とが対向方向に対して直交する方向へ相対的に移動しようとした場合には、板状部材４８が箱状部材４４の側板４４ｄに吸音材５２を介して係止され、その相対的な移動が規制されるので、箱状部材４４の側板４４ｄが本発明の「規制部」となる。
【００２９】
なお、この防音装置４２では、上下を逆にして用いてもよく、その場合には、板状部材４８が本発明の「基礎側脚部」となり、箱状部材４４が本発明の「音源側脚部」となる。また、この防音装置４２においても、防音架台１０への組み込みが可能であり、「吊下げ具」として単独で用いることも可能である。そして、防音架台１０へ組み込む場合には、上部台座１６と下部台座１８との間に確保された空間を吸音材５２で埋めるようにしてもよい。
【図面の簡単な説明】
【００３０】
【図１】防音架台を示す断面図である。
【図２】防音架台を示す正面図である。
【図３】防音架台に組み込まれる防音装置を示す斜視図である。
【図４】防音装置から吸音材を除いた状態を示す斜視図である。
【図５】他の防音架台を示す断面図である。
【図６】防音装置の他の使用方法を示す正面図である。
【図７】他の防音装置を示す平面図（Ａ）および断面図（Ｂ）である。
【符号の説明】
【００３１】
１０…  防音架台
１２…  音源
１４…  基礎
１６…  上部台座
１８…  下部台座
２０…  防音装置
２２…  音源側リング
２４…  基礎側リング
３０…  吸音材
【図１】
2005308878.tif 000003
【図２】
2005308878.tif 000004
【図３】
2005308878.tif 000005
【図４】
2005308878.tif 000006
【図５】
2005308878.tif 000007
【図６】
2005308878.tif 000008
【図７】
2005308878.tif 000009